(57)【特許請求の範囲】
【請求項１】
口部、該口部に接続される胴部および該胴部内の下部に上昇可能に密嵌される底壁部を有し、液状の内容物を収容する容器本体部と、該口部に挿設される吸引部および押下されることにより内容物を吸引して外部に吐出する吸引吐出機構を有し、該口部に装着される押下ヘッド部を備えるディスペンサー容器において、
該容器本体部内に上昇可能に内嵌され、該吸引部の下端を挿通可能な開口と液状の内容物が流通可能な流通機構を有し、該容器本体部内の任意の高さ位置に自在に設けられる中仕切り壁部と、該容器本体部の該任意の高さ位置に設けられる覗き窓を備え、
該覗き窓を除く該胴部の他の部分、該口部および該底壁部を不透明に形成するとともに、該中仕切り壁部の少なくとも該覗き窓から覗かれ得る側面部分を不透明に形成し、
内容物の使用開始前および使用途中に該覗き窓から該中仕切り壁部が覗かれるとともに、内容物の使用により減圧される該容器本体部内の該胴部に摺接して上昇する該底壁部が該中仕切り壁部を押し上げることで、該覗き窓から該中仕切り壁部に代わって該底壁部が覗かれるように構成してなることを特徴とするディスペンサー容器。
【請求項２】
前記中仕切り壁部が前記口部内に設けられるとともに、前記覗き窓が該口部に設けられることを特徴とする請求項１記載のディスペンサー容器。
【請求項３】
前記底壁部および前記中仕切り壁部の不透明に形成した部分の少なくともいずれか一方が高さ方向に２色以上に塗り分けられることを特徴とする請求項１記載のディスペンサー容器。
【発明の詳細な説明】
【技術分野】
【０００１】
本発明は、底上げ式のディスペンサー容器に関する。
【背景技術】
【０００２】
例えば化粧品等の高粘度で流動性の低い内容物を収容するディスペンサー容器は、容器の口部（口頸部）に挿設されるポンプにより底部分の内容物まで完全に吸い上げることができるように、底上げ構造式のものが用いられる。この種のディスペンサー容器は、内容物の減少によって減圧される容器内を上昇する底壁部（可動中皿）が備えられ、その底壁部を円滑に移動させるために、また、容器全体の成形性の観点から、通常、樹脂材料で形成される。
【０００３】
ところで、ディスペンサー容器の内容物として、例えば光に当たることで品質が変わる薬剤や色素等を含む化粧品等を収容する場合、容器を不透明材料で形成する等して遮光することが必要となる。
【０００４】
しかしながら、例えば容器を不透明材料で形成すると、内容物の使用に伴って容器の胴部（側壁）に沿って上昇する底壁部を容器の外部から視認することができないため、内容物の残存量の変化を知ることができず不便である。
なお、ディスペンサー容器の内容物として、遮光を必要としない化粧品を収容する場合は、容器を透明材料で形成することで可動中皿を容器の外部から視認することができるが、このとき、容器の表面印刷を行う等の表示の必要や外観上からは、容器を不透明材料で形成することが好ましい。
【０００５】
上記の不具合を改善するために、容器の胴部を、その上部分一部で形成する透視窓を除いて不透明とし、透視窓近傍の胴部分内面に透視窓から胴部内への視野を遮る遮視部材を上昇可能に嵌合し、胴部内の負圧化により、胴部内に上昇可能に密嵌した仕切り用の可動壁が遮視部材を押し上げることで、これら遮視部材乃至可動壁の周面に形成した残量表示部が透視窓より見えない位置から見える位置へ移動するように構成した注出容器が開示されている（特許文献１参照）。
【特許文献１】特開２００７−６２８２４号公報
【発明の開示】
【発明が解決しようとする課題】
【０００６】
しかしながら、上記特許文献１の注出容器において、実施例の記載によれば、押下げヘッドの構造上、遮視部材は内容物を密閉するために容器の上部に設けられており、これに対応して透視窓も胴部の上部に設けられる。このため、注出容器の使用者は、透視窓に遮視部材に代えて可動壁が見えた時点で内容物が空になったことを知ることができるに止まる。このことは、残存量が所定量に至ったことを知って、例えば、内容物を完全に使い切る前に新品を予備として余裕を持って購入しておきたい場合等において不都合である。
【０００７】
本発明は、上記の課題に鑑みてなされたものであり、使用により減少する内容物の残存量が所定量に至ったことを知ることができるディスペンサー容器を提供することを目的とする。
【課題を解決するための手段】
【０００８】
本発明に係るディスペンサー容器は、
口部、該口部に接続される胴部および該胴部内の下部に上昇可能に密嵌される底壁部を有し、液状の内容物を収容する容器本体部と、該口部に挿設される吸引部および押下されることにより内容物を吸引して外部に吐出する吸引吐出機構を有し、該口部に装着される押下ヘッド部を備えるディスペンサー容器において、
該容器本体部内に上昇可能に内嵌され、該吸引部の下端を挿通可能な開口と液状の内容物が流通可能な流通機構を有し、該容器本体部内の任意の高さ位置に自在に設けられる中仕切り壁部と、該容器本体部の該任意の高さ位置に設けられる覗き窓を備え、
該覗き窓を除く該胴部の他の部分、該口部および該底壁部を不透明に形成するとともに、該中仕切り壁部の少なくとも該覗き窓から覗かれ得る側面部分を不透明に形成し、
内容物の使用開始前および使用途中に該覗き窓から該中仕切り壁部が覗かれるとともに、内容物の使用により減圧される該容器本体部内の該胴部に摺接して上昇する該底壁部が該中仕切り壁部を押し上げることで、該覗き窓から該中仕切り壁部に代わって該底壁部が覗かれるように構成してなることを特徴とする。
【０００９】
また、本発明に係るディスペンサー容器は、好ましくは、前記中仕切り壁部が前記口部内に設けられるとともに、前記覗き窓が該口部に設けられることを特徴とする。
【００１０】
また、本発明に係るディスペンサー容器は、好ましくは、前記底壁部および前記中仕切り壁部の不透明に形成した部分の少なくともいずれか一方が高さ方向に２色以上に塗り分けられることを特徴とする。
【発明の効果】
【００１１】
本発明に係るディスペンサー容器は、容器本体部内に上昇可能に内嵌され、吸引部の下端を挿通可能な開口と液状の内容物が流通可能な流通機構を有し、容器本体部内の任意の高さ位置に自在に設けられる中仕切り壁部と、容器本体部の任意の高さ位置に設けられる覗き窓を備え、内容物の使用開始前および使用途中に覗き窓から中仕切り壁部が覗かれ、ついで、中仕切り壁部に代わって底壁部が覗かれるため、使用により減少する内容物の残存量が所定量に至ったことを知ることができる。
【発明を実施するための最良の形態】
【００１２】
本発明の実施の形態について、以下に説明する。
【００１３】
まず、本実施の形態に係るディスペンサー容器１０について、図１〜図４を参照して説明する。なお、図１〜図３および図６において、容器本体部の内部のまだらな梨地状に表示した部分は、液状の内容物を示す。
図１〜図３に示すディスペンサー容器１０は、液状の内容物を収容する容器本体部１２が、口部１４と、口部１４に接続される胴部１６と、胴部１６内の下部に設けられる底壁部（可動中皿）１８を有する。
底壁部１８は、例えば、中央が凹状に形成される底壁本体１８ａの周囲に、上下方向に凹状に内側に向けて湾曲した環体１８ｂが設けられ、環体１８ｂが胴部１６の内面に摺接することにより、胴部１６内に密嵌される。このとき、環体１８ｂが凹状に形成されているため、底壁部１８が胴部１６の内面に摺接して移動するときの抵抗が適度に軽減される。容器本体部１２の各構成部分、すなわち、口部１４、胴部１６および底壁部１８は、不透明材料で形成され、あるいは透明材料で形成される構成部分を着色等により不透明化処理し、またあるいは透明材料で形成される構成部分を着色フィルムで覆う等の適宜の手段で不透明化される。
【００１４】
また、ディスペンサー容器１０は、口部１４に装着される押下ヘッド部２０を備える。押下ヘッド部２０は、口部１４に挿設される吸引部および押下されることにより内容物を吸引して外部に吐出する吸引吐出機構を有する。
押下ヘッド部２０および押下ヘッド部２０をディスペンサー容器１０の口部１４に装着する構造の詳細について図４を参照して説明する。但し、図４に示す押下ヘッド部２０は一例であり、このため、図４では、図１〜図３と異なる参照符合を付して説明する。ディスペンサー容器１０は、本発明の作用を有するものである限り、図４に示す構造以外の適宜の構造の押下ヘッド部を採用することができる。
【００１５】
図４に示すディスペンサー容器１１０は、容器本体（容器本体部）１０２の口部１０３にパッキン１０４を介してスクリューキャップ１０５を冠設しており、このスクリューキャップ１０５を緊締することにより、押下ヘッド部のシリンダー（吸引部）１０７を容器本体１０２に取付け固定する。
シリンダー１０７の下部付近には、上下動可能なボールからなる逆流防止弁１０８が取り付けられる。
またシリンダー１０７内には、その内壁面と摺接動自在になるピストン１１０が設けられ、このピストン１１０の上部には加圧プランジャー１１１がピストン１１０に一体的に取り付けられる。
加圧プランジャー１１１の上部付近には、上下動可能なボールからなる逆流防止弁１１２が取り付けられ、この逆流防止弁１１２は押さえ突起１１３により、上方への移動が抑止される。
逆流防止弁１０８、１１２で仕切られているシリンダー１０７と加圧プランジャー１１１の内部空間が、中味貯溜室Ｂを構成し、この中味貯溜室Ｂ内の容積変化に伴う圧力変化により、逆流防止弁１０８、１１２の作用で中味１１４の吸引、吐出が行われる。
復帰スプリング１１６は、押し下げられたピストン１１０を原状に復帰させるためのもので、ピストン１１０の下部とシリンダー１０７内の下部間に掛け渡されて、常時ピストン１１０を上方に押し戻す付勢力を発揮する。
以上説明した各部材が、押下ヘッド部の吸引吐出機構を構成する。
【００１６】
押下ヘッド部は、以下の作用を奏する。
加圧プランジャー１１１の上部に設けられたノズルヘッド１１７を押し下げてピストン１１０をシリンダー１０７の内壁面に沿って摺接動させると、ピストン１１０が復帰スプリング１１６を圧縮し、このとき、下方の逆流防止弁１０８はシリンダー１０７下部の流路を閉塞し、中味貯溜室Ｂの容積は徐々に小さく圧縮され、それに伴い中味貯溜室Ｂ内部の圧力は上昇し、その圧力により上方の逆流防止弁１１２は上方に持ち上げられ、中味貯溜室Ｂ内に存した中味１１４がノズル１１８を経由して外部に吐出される。
ノズルヘッド１１７への押圧力を解除すると、復帰スプリング１１６の作用でピストン１１０及び加圧プランジャー１１１が上方に押し戻され、中味貯溜室Ｂの容積は徐々に圧縮前の状態に戻り、これに伴い中味貯溜室内の圧力が下がり、上方の逆流防止弁１１２はその流路を閉塞し、また下方の逆流防止弁１０８は中味貯溜室内にシリンダー１０７を経由して中味１１４を吸い込むべく上方に持ち上げられて流路を開く。
中味貯溜室Ｂ内に中味が充満して、容器本体１０２の内部の圧力が下がると、図示しない底壁部（可動中皿）が上昇し、中味貯溜室内の圧力が平常圧に戻った段階で下方の逆流防止弁１０８は流路を閉塞するべく原状に戻る。
【００１７】
ディスペンサー容器１０の各部材の材料は、適宜の樹脂を用いることが好適であるが、これに限らず、摺接性やシール性を発現する工夫が適宜なされる限り金属等の他の材料を用いてもよい。
【００１８】
本実施の形態に係るディスペンサー容器１０は、容器本体部１２の胴部１６内の所定の高さ位置に、中仕切り壁部２６が設けられる。
ディスペンサー容器１０は、容器本体部１２および押下ヘッド部２０で密閉構造が構成され、中仕切り壁部２６は密閉構造に関与しないため、中仕切り壁部２６を胴部１６内の任意の高さ位置に自在に設けることができる。この所定の高さ位置は、例えば内容物の所望の残存量を知るために随時定められる位置とすることができる。
中仕切り壁部２６は、中仕切り壁本体２６ａと、中仕切り壁本体２６ａの周囲に、上下方向に凹状に内側に向けて湾曲した環体２６ｂで構成される。そして、環体２６ｂが胴部１６の内面に摺接することにより、中仕切り壁部２６が胴部１６内に上昇可能に内嵌（内嵌め）される。このとき、環体２６ｂが凹状に形成されているため、中仕切り壁部２６が胴部１６の内面に摺接して移動するときの抵抗が適度に軽減される
中仕切り壁本体２６ａは、押下ヘッド部２０の吸引部を挿通可能な開口２８と、液状の内容物が中仕切り壁本体２６ａの上下双方に流通可能な、例えば複数の孔３０からなる流通機構を有する。流通機構は、孔３０に代えて、例えば中心部から放射状に延出して形成されるスリット群であってもよく、また、環体２６ｂに上下方向に延出される溝群であってもよく、適宜の機構とすることができる。
中仕切り壁部２６は、不透明材料で形成してもよいが、例えば特定の色を示す場合等においては、透明材料で形成した中仕切り壁部２６の環体２６ｂの覗き窓３２から覗かれる部分のみに着色を施す等しても遮光性を確保するうえで十分である。
【００１９】
胴部１６には、中仕切り壁部２６が設けられる所定の高さ位置に覗き窓３２が設けられる。覗き窓３２は、適宜の手段で設けることができ、例えば、不透明材料で形成された胴部１６に開口を形成してもよく、また、透明材料で形成された胴部１６を着色して不透明化する際に覗き窓３２の箇所を塗り残すことで設けてもよい。
【００２０】
上記のように構成されるディスペンサー容器１０は、所定の高さ位置に設けられる中仕切り壁部２６の上方、例えば、口部１４まで容器本体部１２に内容物を収容した状態で使用に供される。内容物は、例えば、遮光性を必要とする化粧料であると好適であるが、これに限らず、遮光性を必要としない化粧料であってもよい。
【００２１】
ディスペンサー容器１０は、内容物未使用時において、図１に示すように、覗き窓３２から中仕切り壁部２６が覗かれる。また、使用開始から一定量内容物を使用するまでの間は、内容物の減少に応じて底壁部１８が徐々に上昇するが、底壁部１８が中仕切り壁部２６に当接するに至るまでの間は、覗き窓３２からは中仕切り壁部２６が引き続き覗かれる。さらに内容物が減少すると、図２に示すように、上昇する底壁部１８が中仕切り壁部２６に当接しさらに中仕切り壁部２６を押し上げることにより、覗き窓３２から、中仕切り壁部２６および底壁部１８の当接部位が覗かれる。
これにより、内容物が予め定められた所定量減少したことを知ることができ、さらにまた、覗き窓３２から覗かれる中仕切り壁部２６および底壁部１８の比率の変化から、その後の残存量のわずかな変化を知ることも可能である。
そして、さらに使用を続けることにより内容物の残存量が実質的にゼロになると、図３に示すように、覗き窓３２からは底壁部１８のみが覗かれ、ディスペンサー容器１０が実質的に空になったことを知ることができる。
【００２２】
つぎに、第一の変形例に係るディスペンサー容器１０ａについて、図５を参照して説明する。
ディスペンサー容器１０ａは、中仕切り壁部および底壁部以外については、上記ディスペンサー容器１０と同様であるため、ディスペンサー容器１０と対応する構成部材についれはディスペンサー容器１０と同じ参照符号を付すとともに重複する説明を省略する。
【００２３】
ディスペンサー容器１０ａは、中仕切り壁部３４の環部３４ｂおよび底壁部３６の環部３６ｂが、それぞれ２色に塗り分けられている点がディスペンサー容器１０と異なる。
【００２４】
例えば、環部３４ｂの上部を青色に、下部を黄色に、環部３６ｂの上部を橙色に、下部を赤色にそれぞれ塗り分けておくと、内容物の減少に応じて、覗き窓３２から覗かれる色が、青色から黄色へ、黄色から橙色へ、橙色から赤色へと順次変化していくことにより、内容物の残存量の変化を逐一知ることができる。このとき、覗き窓３２の上下方向の寸法を小さくして２色のみが見えるようにしてもよく、あるいは図５に示すように、覗き窓３２の上下方向の寸法を大きくとって、各色の比率の変化が見えるようにしてもよい。なお、環部３４ｂおよび環部３６ｂのうちのいずれか一方のみを２色に塗り分けてもよく、あるいはまた、環部３４ｂおよび環部３６ｂを３色以上に塗り分けてもよい。
【００２５】
つぎに、第二の変形例に係るディスペンサー容器１０ｂについて、図６を参照して説明する。
ディスペンサー容器１０ｂは、中仕切り壁部および覗き窓以外については、上記ディスペンサー容器１０と同様であるため、ディスペンサー容器１０と対応する構成部材についれはディスペンサー容器１０と同じ参照符号を付すとともに重複する説明を省略する。
【００２６】
ディスペンサー容器１０ｂは、容器本体部１２の口部１４の内部に、コンパクトな形状に形成される中仕切り壁本体３８ａおよび環体３８ｂからなる中仕切り壁部３８が設けられ、また、覗き窓３２を口部１４に設けている点がディスペンサー容器１０と異なる。
これにより、口部１４の中の内容物まで空になったことを覗き窓３２から確認することができる。
【図面の簡単な説明】
【００２７】
【図１】本実施の形態に係るディスペンサー容器について容器本体を断面で示す正面図である。
【図２】図１のディスペンサー容器の内容物が減少した状態を示す図である。
【図３】図２のディスペンサー容器の内容物が空になった状態を示す図である。
【図４】本実施の形態に係るディスペンサー容器の押下ヘッド部の構造を説明するための、ディスペンサー容器の部分断面図である。
【図５】第一の変形例に係るディスペンサー容器の部分正面図である。
【図６】第二の変形例に係るディスペンサー容器の部分断面図である。
【符号の説明】
【００２８】
１０、１０ａ、１０ｂ、１１０  ディスペンサー容器
１２、１０２  容器本体部
１４、１０３  口部
１６  胴部
１８、３６  底壁部
１８ａ  底壁本体
１８ｂ、２６ｂ、３４ｂ、３６ｂ、３８ｂ  環体
２０  押下ヘッド部
２６、３４、３８  中仕切り壁部
２６ａ、３８ａ  中仕切り壁本体
３２  覗き窓
１０４  パッキン
１０５  スクリューキャップ
１０８、１１２  逆流防止弁
１１０  ピストン
１１１  加圧プランジャー
１１３  押さえ突起
１１６  復帰スプリング
１１８  ノズル
【図１】
0005088944.tif 000002
【図２】
0005088944.tif 000003
【図３】
0005088944.tif 000004
【図４】
0005088944.tif 000005
【図５】
0005088944.tif 000006
【図６】
0005088944.tif 000007